(57)【特許請求の範囲】
【請求項１】
容器本体と、該容器本体の上方開口部を閉蓋可能な蓋部材と、前記容器本体内に設けられ内容物を入れる内ケースと、該内ケースの下方に設けられる加熱源と、前記内ケースの内容物を給湯口より外部に供給する電動ポンプと、各種操作スイッチが設けられる操作部とを有する電気ポットにおいて、
前記操作スイッチの一つである給湯スイッチは、レバー式のスイッチで、その他の操作スイッチが設けられる基板とは別の基板に設けられ、
前記給湯スイッチが設けられる基板は、その他の操作スイッチが設けられる基板の下方に位置することを特徴とする電気ポット。
【発明の詳細な説明】
【技術分野】
【０００１】
本願発明は、電気ポットに関し、特に電気ポットの給湯スイッチに関するものである。
【背景技術】
【０００２】
従来の電気ポットは、容器本体内の内容器内の水をその底部外面に設けられるヒータ等の加熱手段によって加熱し、加熱沸騰したお湯を容器本体の底部と内容器との間に設けられる電動ポンプ、或いは蓋部材に設けられる手動ポンプにより給湯通路を介して給湯口より給湯するとともに、加熱手段による内容器内の水を加熱沸騰させる機能及び加熱沸騰後のお湯を保温する機能を備え、常時所定温度のお湯を供給したり、または加熱沸騰後にコンセントを外し、好きなところへ移動し、手動ポンプにより給湯を行うことができるというように使い勝手の良い器具の一つである。
【０００３】
また、従来の電気ポットは、沸騰後のお湯を効率的に保温するため、例えば、内容器を真空二重槽からなる真空断熱構造体から構成したり、また、蓋部材にも断熱材を施したものが提案されており、通電時においては保温電力を低減し、コンセントを外した使用形態では温度低下を極力抑えるように工夫が施されている。
【０００４】
そして、電気ポットの前方側上面には、給湯スイッチ等の各種操作スイッチ及び表示部からなる操作部が設けられ、各種操作スイッチを操作することにより上記沸騰加熱制御及び保温制御を行っている。
【０００５】
図８に電気ポットの従来の操作部の一例を示す。操作部Ａには、図に示すように、電動ポンプによる給湯を行うための給湯スイッチａ、通常モードと定量モードとの切換えを行い、かつ電気的ロック機構を有するロック解除スイッチｂ、再沸騰させるための再沸騰スイッチｃ，保温を行うかどうかを選択するための保温選択スイッチｄ、朝起きた時にポットにお湯ができる時間を設定するためのおやすみタイマースイッチｅ、及び液晶表示装置ｆ等が設けられている。
【０００６】
これらのスイッチは、基板上に設けられるそれぞれのスイッチ部材に対向して配置されており、操作スイッチを操作することにより基板上のスイッチ部材の操作が間接的に行われる。そして従来のスイッチ部材は、１つの共通な操作基板上に配置されている。
【０００７】
ところで、従来の給湯スイッチａは、操作部Ａにその他の操作スイッチと同様にシートスイッチの形態で取り付けられている。この給湯スイッチａは、頻繁に使われるスイッチであり、その操作性を良くするためにその他の操作スイッチより大きく形成されている。しかしながら、例え他の操作スイッチより大きくしたとしても限度がありあまり大きくすることはできず、また、押しにくく且つ取付箇所にも制約を受ける等、スイッチとして十分といえないところがあった（例えば、特許文献１参照）。
【０００８】
また、このような弊害をなくすものとして、レバースイッチを用いることが考えられる。レバースイッチは、レバーの先端を押圧することでより確実に基板上のスイッチ部材を押すことができ、スイッチの操作性を高めることができるものであるが、操作性を上げるにはどうしてもレバーの操作ストロークをシートスイッチのものに比べ長くする必要がある。全ての操作スイッチ部材を１つの共通なマイコン基板上に配置する従来の基板構造を用いる場合、必然的にレバースイッチを従来の操作部の上面よりも更に上方に上げるか、または、基板をより下方に下げる必要性が生じる。しかし、レバースイッチを上方に上げると、見栄えが悪くなり、また、基板を下方に下げると、従来ユニット化して用いていた表示部及びランプまでも下方に下がることになり視認性等に悪影響が生じ、この悪影響をなくすためには別途専用の表示部及びランプを作成する必要が生じ、その結果、新たに生産コストが高騰するという問題が生じた。
【特許文献１】特開２００２−２６３０００
【発明の開示】
【発明が解決しようとする課題】
【０００９】
本願発明は、上記欠点を解消するもので、給湯スイッチとして大きさ、或いは設置箇所の制約をなくすことができる電気ポットを提供することを目的とするもの。
【００１０】
または、給湯スイッチとして給湯レバーを用いる場合には、その給湯レバーのストロークを確保し、且つその他の操作スイッチは従来ユニット化したものに最小の変更を加えるだけで使用することができる電気ポットを提供することを目的とするものである。
【課題を解決するための手段】
【００１１】
上記目的を達成するため、本願発明は以下の構成を採用する。
【００１２】
請求項１に係る発明では、容器本体と、該容器本体の上方開口部を閉蓋可能な蓋部材と、前記容器本体内に設けられ内容物を入れる内ケースと、該内ケースの下方に設けられる加熱源と、前記内ケースの内容物を給湯口より外部に供給する電動ポンプと、各種操作スイッチが設けられる操作部とを有する電気ポットにおいて、前記操作スイッチの一つである給湯スイッチは、レバー式のスイッチで、その他の操作スイッチが設けられる基板とは別の基板に設けられ、前記給湯スイッチが設けられる基板は、その他の操作スイッチが設けられる基板の下方に位置する構成。そしてこの構成により、操作スイッチの大きさ並びに設置箇所の自由度が増す。
【００１３】
また、前記給湯スイッチが設けられる基板とその他の操作スイッチが設けられる基板とは、それぞれ個別空間に略水密状に配設される構成。そしてこの構成により、例え操作スイッチ部に水がかかったとしても水が基板上に浸入することはなくなる。
【発明の効果】
【００１５】
請求項１に係る発明では、操作スイッチの一つである給湯スイッチを、レバー式のスイッチで、その他の操作スイッチが設けられる基板とは別の基板に設け、給湯スイッチが設けられる基板を、その他の操作スイッチが設けられる基板の下方に位置することにより、操作スイッチの大きさを自由に選定することができるとともに、その設置箇所も必要に応じて選定することができ、それだけ操作性並びに利便性を向上することができる。
【００１６】
また、給湯スイッチとしてレバースイッチを用いることにより、そのレバースイッチのストロークを十分確保することができ、更にその取り付け高さ並びに角度を任意に設定することができるため操作性並びに信頼性をより高めることができ、また、その他の操作スイッチは従来ユニット化したものに最小の変更を加えるだけで使用することができるため生産コストを抑制することができる。更に、レバースイッチを操作部と同一面状に設けることにより従来通りの見栄えを維持することができる。
【００１７】
また、給湯スイッチが設けられる基板とその他の操作スイッチが設けられる基板を、それぞれ個別空間に略水密状に配設することにより、例え操作スイッチ部に水がかかったとしても水が基板上に浸入することを防止することができるため、電気ポットの信頼性を高めることができる。
【実施例】
【００１９】
以下、添付の図面を参照して、本願発明の実施の形態について詳述する。
【００２０】
図１に本願発明の電気ポットの全体断面図（図２のＡ−Ａ線の断面図）を示し、図２にその平面図を示し、図３に操作部近傍の一部拡大断面図（図２のＢ−Ｂ線の断面図）を示し、図４に操作レバーの取付状態を示す概略図を示し、図５に操作スイッチがない状態の操作部近傍の一部拡大斜視図を示し、図６に給湯レバーの拡大斜視図を示し、図７に各部品を取り外し上下に並べた状態を示す拡大斜視図を示す。
【００２１】
この電気ポットは、貯湯用の内容器３を備えた容器本体１と、該容器本体１を開閉する蓋部材２と、前記内容器３を加熱する加熱手段としての電気ヒータ４と、前記内容器３内の湯を給湯口５より給湯するための給湯通路６と、該給湯通路６を介して湯を送り出す電動ポンプ７等を有する。また、容器本体１の外周部には、該ポットを持ち運びするための取手１１が設けられる。
【００２２】
前記容器本体１は、外周面を構成する合成樹脂製の外ケース８と、内周面を構成する前記内容器３と、外ケース８と内容器３とを結合する合成樹脂製の環状の肩部材９と、底面を構成する合成樹脂製の底板１０からなる。
【００２３】
前記内容器３の底部には、雲母板に発熱体を保持させてなるマイカヒータ等の電気ヒータ４が取り付けられ、その底部中央には内容器３内の湯温を検出する湯温検出手段としての温度センサー１２が設けられ、加熱及び保温制御のために用いられる。なお、内容器３の上方部には満水位を検知する満水位センサー１３が設けられる。
【００２４】
前記給湯口５が設けられるポット前方側は、図１、図２に示すように、前方側に向かって傾斜するとともに、平面視略三角形状を呈し、その上面には、操作部４０が配置され、タイマー設定ならびに温度表示等の表示がなされる。また、その下部空間には、止水弁ユニット１５が設けられ、ポットが傾斜ならびに転倒した場合に、給湯通路６を閉鎖し、熱湯の流出を防止する。
【００２５】
前記蓋部材２は、容器本体１の上方開口部を閉蓋する部材であり、合成樹脂製の蓋上部材１６と該蓋上部材１６に対して図示しないビス等により結合された合成樹脂製の蓋下部材１７等とからなり、蓋下部材１７の下部には、内容器３の上方開口部に対向し、該上方開口部の蓋としての機能を有する金属製の内蓋１８を有し、前記肩部材９の後方側に設けられるヒンジ機構２０を介して開閉自在、且つ着脱自在に支持される。そして、内蓋１８の略中央には、開口穴１４が設けられ、後記手動ポンプ３０の作動時にこの開口穴１４より空気を内容器３内に押し出し、内容器３内のお湯を給湯口５より供給する。
【００２６】
前記蓋上部材１６は、略楕円形状からなり、その断面は、緩やかに外側に突き出た凸状を呈し、図１、図２に示すように、給湯口５がある前方側には、蓋開放部材１９が設けられる。蓋の開放には、該蓋開放部材１９の前方側をまず指で押し下げ、後方側を隆起させた後、その隆起した部分に指をかけ手前に引くことにより、蓋部材２を開放する。また、蓋開放部材１９と反対側の後方側には、蒸気口２１が設けられる。
【００２７】
前記蓋下部材１７は、その全体は上方開放の略皿状の樹脂製部材であり、蓋上部材１６との間に断熱空間２２を形成し、該断熱空間２２内には断熱材２３を挿入する。この断熱材２３は、ベローズ２６の直下の空間にも設けられる。
【００２８】
蓋上部材１６の略中央には、押圧部材２９及びベローズユニット２４等からなる手動ポンプ３０が設けられる。押圧部材２９は、下方が開放したキャップ状の樹脂製部材であり、上方から押圧されると、ベローズユニット２４を押し下げ、ベローズ２６内の空気を内蓋１８の略中央に設けられる開口穴１４より内容器３内に噴出する。
【００２９】
ベローズユニット２４は、上板２５、ベローズ２６、先端にシールパッキン２８を取り付けてなる上下動可能なバルブロッド２７、第１スプリング３１及び第２スプリング３２等からなり、押圧部材２９が押圧されると上板２５を介してベローズ２６が押し下げられとともに、バルブロッド２７が下動してその下端部が内蓋１８の開口穴１４の外周上面に当接し、更にシールパッキン２８を開放する。すると、ベローズ２６内の空気はシールパッキン２８を介してバルブロッド２７の下端部に押し出され、内蓋１８の開口穴１４より内容器３内に供給される。
【００３０】
そして、押圧部材２９の押圧が解除されると、第１スプリング３１及び第２スプリング３２の作用によりベローズ２６は元の状態に復帰する。その際、上板２５の下面とベローズ２６の上面との間に形成される吸気部が開放され、ベローズ２６内に空気が吸入される。
【００３１】
また、蓋下部材１７には、蒸気通路３３が設けられ、手動ポンプ３０の非作動時、内容器３内で発生する蒸気は、開口穴１４から蓋下部材１７と内蓋１８との間に形成される内部通路３４を介して蒸気通路３３に至り、蒸気口２１から外部に排出される。なお、蒸気通路３３には、止水弁３５が設けられ、ポットが傾斜ならびに転倒した場合に、蒸気通路３３からの熱湯の流出を防止している。
【００３２】
図２に操作部の一例を示す。操作部４０は、前方側に向かって傾斜し平面視略三角形状の鼻先部３７の上面に設けられ、図に示すように、通常モードと定量モードとの切換えを行い、かつ電気的ロック機構を有するロック解除スイッチボタン４１、再沸騰させるための再沸騰スイッチボタン４２、保温を行うかどうかを選択するための保温選択スイッチボタン４３、朝起きた時にポットにお湯ができる時間を設定するためのおやすみタイマースイッチボタン４４からなる各種操作スイッチボタン、ロック解除表示灯４５、保温表示灯４６、再沸騰表示灯４７からなる各種表示灯、並びに各種情報を表示する表示部である液晶表示装置４８が設けられている。
【００３３】
これら各種操作スイッチボタン、各種表示灯、並びに液晶表示装置４８が配置される操作部４０には、図５に示すように下方に窪んだ有底の基板収納部５０が形成されるともに、該基板収納部５０の上方開口部は、蓋体５１で水密状に閉蓋される。そして、蓋体５１には、前記各種操作スイッチボタン、各種表示灯、並びに液晶表示装置４８が取り付けられる。そして、基板収納部５０の底面は、図１に示すように、鼻先部３７の上面と略平行になるように傾斜されている。
【００３４】
基板収納部５０内には、マイコン基板５２が基板収納部５０底面と略平行に載置されている。このマイコン基板５２上には、ロック解除スイッチボタン４１、再沸騰スイッチボタン４２、保温選択スイッチボタン４３及びおやすみタイマースイッチボタン４４のそれぞれに対向し、それらのスイッチボタンの押し下げに連動して押し下げられる各種スイッチ部材５３、更には前記各種表示灯及び液晶表示装置４８が取り付けられており、全体でユニット化されている。
【００３５】
なお、各種操作スイッチボタンとマイコン基板５２上に取り付けられる各種スイッチ部材５３とは僅かな隙間、例えば略０．５ｍｍ離れて対向しており、各種操作スイッチボタンを多少斜めから押しても確実にスイッチ部材５３のオン動作が行われるようにされている。なお、実質的な操作スイッチは各種スイッチ部材５３が相当するが、操作スイッチに各種操作スイッチボタンを含めてもよい。
【００３６】
鼻先部３７のマイコン基板収納部５０の右側部には上下に開口した給湯スイッチ基板用開口部６０が設けられる。この給湯スイッチ基板用開口部６０の前方側下方には、後方側へ張り出してなる水平の張出リブ６１が設けられ、その側面には、大形の位置規制リブ用嵌合部６２が設けられ、大形の位置規制リブ用嵌合部６２が設けられる側面とは反対側の側面には、図示しない小形の位置規制リブ用嵌合部が設けられ、その後方側には、給湯レバー６６の係合溝６７ｄが嵌合するための細長な係合突起６３が垂下する形態で設けられ、更に、その前方端上方には、鼻先部３７の外郭より前方側へ水平に張り出し、給湯レバー６６の先端部を受けるための水平張出部６４が設けられる。
【００３７】
符号６６は給湯レバーであり、図２に示すように前記給湯スイッチ基板用開口部６０の上面に配置される。給湯レバー６６は、２辺が直線で直交し、他の２辺が円弧状からなる全体として略矩形状の樹脂製の平板状部材であり、その後方側（図１で右側、図６で左側）の端部下面にはＬ字状支持片６７が垂下し、その両側面には、大形の位置規制リブ６８と小形の位置規制リブ６９とがそれぞれ設けられ、また、その前方側（図１で左側、図６で右側）の上面には、給湯レバー６６の押圧箇所を示す円形凹部７０が設けられ、その下面中央には、給湯スイッチ基板７５上に配置される給湯スイッチ部材７６を押圧するための十字形リブ７１及びノ字状の補強リブ７２が設けられる。
【００３８】
Ｌ字状支持片６７は、垂直部６７ａ及び水平部６７ｂからなり、垂直部６７ａは変形可能なようにその中央部が薄くされ、薄肉弾性部６７ｃを形成し、水平部６７ｂには細長な係合溝６７ｄが形成され、この細長な係合溝６７ｄは給湯スイッチ基板用開口部６０の後方側に垂下する細長な係合突起６３に嵌合される。
【００３９】
両側面に設けられる大形の位置規制リブ６８と小形の位置規制リブ６９とは、給湯レバー６６が給湯スイッチ基板用開口部６０の下方から上方に挿入される際、給湯スイッチ基板用開口部６０の両側面に設けられる大形の位置規制リブ用嵌合部６２と図示しない小形の位置規制リブ用嵌合部に嵌合し、給湯レバー６６の上動を規制する。給湯レバー６６は取り付けられた後においては、図３に示すように前方側へ傾斜した形態になるため、給湯レバー６６の下面に設けられる十字形リブ７１は前方側へ傾斜して取り付けられている。このように前方側へ角度（前方側角度は鋭角）を付けることにより、給湯レバー６６を押し下げた時十字形リブ７１の先端は給湯スイッチ基板７５上に配置される給湯スイッチ部材７６を適格に押圧する。また、前記円形凹部７０は、押圧箇所を示すとともに指先が入り込むため滑り止めにもなり給湯レバー６６の押圧を容易にしている。
【００４０】
符号７５は給湯スイッチ基板であり、該給湯スイッチ基板７５には給湯スイッチ部材７６が載置される。そしてこの給湯スイッチ基板７５は基板収納ユニット７７内に収納される。基板収納ユニット７７は、給湯スイッチ箱７８、給湯スイッチ箱用カバー７９及び給湯スイッチ箱用パッキン８０からなる。
【００４１】
給湯スイッチ箱７８は、有底で箱状の樹脂製部材であり、その内部には給湯スイッチ基板７５が収納される。そして、その上端には外方に張り出した上端突部７８ａが形成され、その下端の前記上端突部７８ａと反対側にはビス穴７８ｃを有する突出片７８ｂが水平に形成される。
【００４２】
給湯スイッチ箱用カバー７９は、給湯スイッチ箱７８の上方開口部を閉蓋するための樹脂製部材で、給湯スイッチ箱７８の全上端部の形状と同形にされ、その略中央には、支持片７９ｂで上下動可能に支持されたスイッチ操作ボス７９ａが設けられ、前記給湯スイッチ箱７８の突出片７８ｂと同じ側にはビス穴７９ｃを有するＬ字形突出片７９ｄが垂下されており、給湯スイッチ箱用カバー７９が給湯スイッチ箱７８の上方開口部を閉蓋した際には、このＬ字形突出片７９ｄのビス穴７９ｃを有する水平部は、給湯スイッチ箱７８の突出片７８ｂに当接し、ビス穴７８ｃとビス穴７９ｃとは同一線上になる。また、スイッチ操作ボス７９ａは給湯スイッチ基板７５上の給湯スイッチ部材７６に対向する位置になる。
【００４３】
給湯スイッチ箱用パッキン８０は、給湯スイッチ箱用カバー７９と略同形のゴム製部材で、給湯スイッチ箱用カバー７９のスイッチ操作ボス７９ａに対向し、且つ給湯レバー６６の円形凹部７０に対向する位置には、上方に若干盛り上がったボスカバー部８０ａが形成され、その略全周には垂下リブ８０ｂが形成され、組み立てられた後では該垂下リブ８０ｂは、給湯スイッチ箱用カバー７９及び給湯スイッチ箱７８上端部を包み込み、給湯スイッチ箱７８を水密状態にし給湯スイッチ箱７８内への水の浸入を防止する。なお、符号８０ｃは鼻先部３７の給湯スイッチ基板用開口部６０の下面に当接する開口部シール面の箇所を示す。
【００４４】
そして、給湯スイッチ箱７８内に給湯スイッチ基板７５を収納し、その上方からビス穴７８ｃとビス穴７９ｃとが同一線上になる方向で給湯スイッチ箱用カバー７９を被せ、更にその上方から垂下リブ８０ｂが給湯スイッチ箱用カバー７９及び給湯スイッチ箱７８上端部を包み込むように被せることにより基板収納ユニット７７を完成させる。基板収納ユニット７７が完成した状態では、給湯スイッチ箱７８は水密状態になる。基板収納ユニット７７は、鼻先部３７の給湯スイッチ基板用開口部６０の下面に給湯スイッチ箱用パッキン８０の開口部シール面８０ｃを当接する形態で取り付けられるが、その前に給湯スイッチ基板用開口部６０の下面から給湯レバー６６が取り付けられる。なお、実質的な操作スイッチは給湯スイッチ部材７６が相当するが、操作スイッチに給湯レバー６６を含めてもよい。
【００４５】
給湯レバー６６は次のように取り付けられる。即ち、まず図４で破線で示すように給湯レバー６６を傾け、給湯スイッチ基板用開口部６０の下面から黒塗り矢印１で示すように斜め前方方向に押し上げ挿入し、給湯レバー６６の大形の位置規制リブ６８と小形の位置規制リブ６９とを、給湯スイッチ基板用開口部６０の両側面に対向して設けられる大形の位置規制リブ用嵌合部６２と図示しない小形の位置規制リブ用嵌合部（大形の位置規制リブ用嵌合部６２より幅が狭い）に嵌合し、黒塗り矢印２で示すように給湯レバー６６の後方側を持ち上げるとともに、黒塗り矢印３で示すように給湯レバー６６の前方側を押し下げる。
【００４６】
そして、給湯レバー６６の後方側に設けられるＬ字状支持片６７の細長な係合溝６７ｄを、給湯スイッチ基板用開口部６０の後方側に垂下する細長な係合突起６３に嵌合し、給湯レバー６６の前方側を、給湯スイッチ基板用開口部６０の水平張出部６４上に位置させて取り付ける。取り付け後においては、給湯レバー６６は、大形の位置規制リブ用嵌合部６２と小形の位置規制リブ用嵌合部によりその上動が規制されるとともに、給湯スイッチ基板用開口部６０の後方側に垂下する細長な係合突起６３に、給湯レバー６６の先端部が水平張出部６４より若干上方に離間した状態で軸支される。
【００４７】
給湯レバー６６が取り付けられた後、基板収納ユニット７７を次のように取り付ける。即ち、基板収納ユニット７７の前方側の上端突部７８ａを給湯スイッチ基板用開口部６０下方の水平な張出リブ６１上に嵌入し、次いでその後方側を水平になるまで押し上げてビス穴７８ｃ、７９ｃと給湯スイッチ基板用開口部６０に設けられるビス穴８２と一致させ、ビス８１で螺合して固着する。基板収納ユニット７７が取り付けられた後においては、給湯スイッチ基板７５は水平状態になり、且つ、図１に示すように傾斜したマイコン基板５２よりは下方に位置する。
【００４８】
給湯レバー６６が取り付けられた後では、鼻先部３７の上面とは同一平面に位置し、図２に示すようにその先端の一部は鼻先部３７の外郭より前方側に突き出た形状になる。このような形状にすることにより、例えばお年寄りでも給湯レバー６６の位置を明確に認識することができるようになるとともに、その先端に指先を当てたまま下方に押し下げることによっても押圧することができる等、レバー操作が容易になり且つ操作の自由度が高まる。
【００４９】
また、給湯レバー６６が取り付けられた状態では、その先端部は、水平張出部６４より若干の距離（例えば、約４ｍｍ）離間した状態で取り付けられており、円形凹部７０を押圧することにより軸部である薄肉弾性部６７ｃが弾性変形し、給湯レバー６６は離間した距離だけ弧回動し、十字形リブ７１、ボスカバー部８０ａ、スイッチ操作ボス７９ａを介して給湯スイッチ部材７６がオンされる。給湯レバー６６を他の操作スイッチとは別に設けることにより、給湯スイッチ基板７５をマイコン基板５２とは非平行で且つそれより下方に設けることができ、給湯レバー６６の操作ストロークを操作性並びに見栄え等を考慮して自由に設定することができるようになる。
【００５０】
本願発明は、上記実施の態様の構成に限定されるものではなく、発明の要旨を逸脱しない範囲において適宜設計変更可能であることは勿論である。なお、上記実施例では給湯スイッチをレバー式のもので説明したが、シート式のものであれば、そのスイッチの大きさを従来のものに比べより大きくすることができるとともに、その設置箇所もより自由に決めることができる。
【図面の簡単な説明】
【００５１】
【図１】本願発明の電気ポットの全体断面図で、図２のＡ−Ａ線の断面図
【図２】本願発明の電気ポットの平面図
【図３】本願発明の操作部近傍の一部拡大断面図で、図２のＢ−Ｂ線の断面図
【図４】本願発明の操作レバーの取付状態を示す概略図
【図５】本願発明の操作スイッチがない状態の操作部の一部拡大斜視図
【図６】本願発明の給湯レバーの拡大斜視図
【図７】本願発明の操作スイッチの各部品を取り外し上下に並べた状態を示す拡大斜視図
【図８】従来の操作部の一部平面図
【符号の説明】
【００５２】
１・・・容器本体                    ２・・・蓋部材
３・・・内容器                      ４・・・電気ヒータ
５・・・給湯口                      ６・・・給湯通路
７・・・電動ポンプ                  ８・・・外ケース
９・・・肩部材                      １０・・・底板
１１・・・取手                      １２・・・温度センサー
１３・・・満水位センサー            １４・・・開口穴
１５・・・止水弁ユニット            １６・・・蓋上部材
１７・・・蓋下部材                  １８・・・内蓋
１９・・・蓋開放部材                ２０・・・ヒンジ機構
２１・・・蒸気口                    ２２・・・断熱空間
２３・・・断熱材                    ２４・・・ベローズユニット
２５・・・上板                      ２６・・・ベローズ
２７・・・バルブロッド              ２８・・・シールパッキン
２９・・・押圧部材                  ３０・・・手動ポンプ
３１・・・第１スプリング            ３２・・・第２スプリング
３３・・・蒸気通路                  ３４・・・内部通路
３５・・・止水弁                    ３７・・・鼻先部
４０・・・操作部                    ４１・・・ロック解除スイッチボタン
４２・・・再沸騰スイッチボタン      ４３・・・保温選択スイッチボタン
４４・・・タイマースイッチボタン    ４５・・・ロック解除表示灯
４６・・・保温表示灯                ４７・・・再沸騰表示灯
４８・・・液晶表示装置              ５０・・・マイコン基板収納部
５１・・・蓋体                      ５２・・・マイコン基板
５３・・・スイッチ部材              ６０・・・給湯スイッチ基板用開口部
６１・・・張出リブ                  ６２・・・大形位置規制リブ用嵌合部
６３・・・係合突起                  ６４・・・水平張出部
６６・・・給湯レバー                ６７・・・Ｌ字状支持片
６７ａ・・・垂直部                  ６７ｂ・・・水平部
６７ｃ・・・薄肉弾性部              ６７ｄ・・・係合溝
６８・・・大形位置規制リブ          ６９・・・小形位置規制リブ
７０・・・円形凹部                  ７１・・・十字形リブ
７２・・・補強リブ                  ７５・・・給湯スイッチ基板
７６・・・給湯スイッチ部材          ７７・・・基板収納ユニット
７８・・・給湯スイッチ箱            ７８ａ・・・上端突部
７８ｂ・・・突出片                  ７８ｃ，７９ｃ，８２・・・ビス穴
７９・・・給湯スイッチ箱用カバー    ７９ａ・・・スイッチ操作ボス
７９ｂ・・・支持片                  ７９ｄ・・・Ｌ字形突出片
８０・・・給湯スイッチ箱用パッキン  ８０ａ・・・ボスカバー部
８０ｂ・・・垂下リブ                ８０ｃ・・・開口部シール面
８１・・・ビス                      ８２・・・ビス穴
【図１】
0004784349.tif 000002
【図２】
0004784349.tif 000003
【図３】
0004784349.tif 000004
【図４】
0004784349.tif 000005
【図５】
0004784349.tif 000006
【図６】
0004784349.tif 000007
【図７】
0004784349.tif 000008
【図８】
0004784349.tif 000009